【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
流体を吸入して圧縮する圧縮機構部（１０）と、
前記圧縮機構部（１０）に回転駆動力を伝達するシャフト（２５）と、
前記回転駆動力を発生する電動機部（２０）とを備え、
前記電動機部（２０）は、回転磁界を発生させるステータ（２１）と、前記回転磁界によって回転するロータ（２２）とを有しており、
前記ステータ（２１）は、電流が流れるステータコイル（２１２）と、磁性材料で形成されたステータコア（２１１）とを有しており、
前記ステータコア（２１１）は、円筒形状のヨーク（２１１ａ）と、前記ヨーク（２１１ａ）の内方側に突出し、前記ステータコイル（２１２）が直接巻き付けられるティース（２１１ｂ）とを複数個ずつ有しており、
前記ステータコイル（２１２）は、前記ティース（２１１ｂ）に、前記ヨーク（２１１ａ）の径方向に順次巻き進められ、さらに前記ヨーク（２１１ａ）の径方向に往復されていることによって多重に重なり合っており、
前記ステータコイル（２１２）同士が結線された中性点（２１４）と、
前記ステータコイル（２１２）同士の間に配置され、Ｖ字形状または筒形状を有する相間絶縁紙（２１５）とを備え、
前記中性点（２１４）は、前記相間絶縁紙（２１５）の間に配置されていることを特徴とする圧縮機。
【請求項２】
流体を吸入して圧縮する圧縮機構部（１０）と、
前記圧縮機構部（１０）に回転駆動力を伝達するシャフト（２５）と、
前記回転駆動力を発生する電動機部（２０）とを備え、
前記電動機部（２０）は、回転磁界を発生させるステータ（２１）と、前記回転磁界によって回転するロータ（２２）とを有しており、
前記ステータ（２１）は、電流が流れるステータコイル（２１２）と、磁性材料で形成されたステータコア（２１１）とを有しており、
前記ステータコア（２１１）は、円筒形状のヨーク（２１１ａ）と、前記ヨーク（２１１ａ）の内方側に突出し、前記ステータコイル（２１２）が直接巻き付けられるティース（２１１ｂ）とを複数個ずつ有しており、
前記ステータコイル（２１２）は、前記ティース（２１１ｂ）に、前記ヨーク（２１１ａ）の径方向に順次巻き進められ、さらに同一方向に繰り返し巻き進められていることによって多重に重なり合っており、
前記ステータコイル（２１２）同士が結線された中性点（２１４）と、
前記ステータコイル（２１２）同士の間に配置され、Ｖ字形状または筒形状を有する相間絶縁紙（２１５）とを備え、
前記中性点（２１４）は、前記相間絶縁紙（２１５）の間に配置されていることを特徴とする圧縮機。
【請求項３】
流体を吸入して圧縮する圧縮機構部（１０）と、
前記圧縮機構部（１０）に回転駆動力を伝達するシャフト（２５）と、
前記回転駆動力を発生する電動機部（２０）とを備え、
前記電動機部（２０）は、回転磁界を発生させるステータ（２１）と、前記回転磁界によって回転するロータ（２２）とを有しており、
前記ステータ（２１）は、電流が流れるステータコイル（２１２）と、磁性材料で形成されたステータコア（２１１）とを有しており、
前記ステータコア（２１１）は、円筒形状のヨーク（２１１ａ）と、前記ヨーク（２１１ａ）の内方側に突出し、前記ステータコイル（２１２）が直接巻き付けられるティース（２１１ｂ）とを複数個ずつ有しており、
前記ステータコイル（２１２）は、前記ティース（２１１ｂ）のうち前記ヨーク（２１１ａ）の径方向における同一箇所に連続して複数回巻き付けられていることによって多重に重なり合っており、さらに前記ヨーク（２１１ａ）の径方向に順次巻き進められており、
前記ステータコイル（２１２）同士が結線された中性点（２１４）と、
前記ステータコイル（２１２）同士の間に配置され、Ｖ字形状または筒形状を有する相間絶縁紙（２１５）とを備え、
前記中性点（２１４）は、前記相間絶縁紙（２１５）の間に配置されていることを特徴とする圧縮機。
【請求項４】
前記ステータコイル（２１２）の中に挿入され、前記ステータコイル（２１２）の巻き始め部分と巻き終わり部分との間を絶縁するコイル内絶縁紙（２１３）を備えることを特徴とする請求項１ないし３のいずれか１つに記載の圧縮機。
【請求項５】
前記ステータコイル（２１２）の中に前記ヨーク（２１１ａ）の径方向に挿入され、前
記ステータコイル（２１２）の巻き始め部分と巻き終わり部分との間を絶縁するコイル内絶縁紙（２１３）を備えることを特徴とする請求項１または２に記載の圧縮機。
【請求項６】
前記ステータコイル（２１２）の中に前記ヨーク（２１１ａ）の周方向に挿入され、前記ステータコイル（２１２）の巻き始め部分と巻き終わり部分との間を絶縁するコイル内絶縁紙（２１３）を備えることを特徴とする請求項３に記載の圧縮機。
【請求項７】
前記中性点（２１４）は、前記ティース（２１１ｂ）の厚さ方向において、前記ティース（２１１ｂ）の端面から、前記ティース（２１１ｂ）の厚さ（Ｍｈ）の１／４までの範囲に配置されていることを特徴とする請求項１ないし６のいずれか１つに記載の圧縮機。
【請求項８】
前記中性点（２１４）は、前記ステータコイル（２１２）同士の間の空間において、前記ヨーク（２１１ａ）の径方向における最内方側または最外方側に配置されていることを特徴とする請求項１ないし７のいずれか１つに記載の圧縮機。
【請求項９】
前記ステータコイル（２１２）には、サージ電圧が発生しうる電圧が印加されることを特徴とする請求項１ないし８のいずれか１つに記載の圧縮機。
【手続補正２】
【補正対象書類名】明細書
【補正対象項目名】０００８
【補正方法】変更
【補正の内容】
【０００８】
上記目的を達成するため、請求項１に記載の発明では、
流体を吸入して圧縮する圧縮機構部（１０）と、
圧縮機構部（１０）に回転駆動力を伝達するシャフト（２５）と、
回転駆動力を発生する電動機部（２０）とを備え、
電動機部（２０）は、回転磁界を発生させるステータ（２１）と、回転磁界によって回転するロータ（２２）とを有しており、
ステータ（２１）は、電流が流れるステータコイル（２１２）と、磁性材料で形成されたステータコア（２１１）とを有しており、
ステータコア（２１１）は、円筒形状のヨーク（２１１ａ）と、ヨーク（２１１ａ）の内方側に突出し、ステータコイル（２１２）が直接巻き付けられるティース（２１１ｂ）とを複数個ずつ有しており、
ステータコイル（２１２）は、ティース（２１１ｂ）に、ヨーク（２１１ａ）の径方向
に順次巻き進められ、さらにヨーク（２１１ａ）の径方向に往復されていることによって多重に重なり合っており、
ステータコイル（２１２）同士が結線された中性点（２１４）と、
ステータコイル（２１２）同士の間に配置され、Ｖ字形状または筒形状を有する相間絶縁紙（２１５）とを備え、
中性点（２１４）は、相間絶縁紙（２１５）の間に配置されていることを特徴とする。
【手続補正３】
【補正対象書類名】明細書
【補正対象項目名】００１１
【補正方法】変更
【補正の内容】
【００１１】
上記目的を達成するため、請求項２に記載の発明では、
流体を吸入して圧縮する圧縮機構部（１０）と、
圧縮機構部（１０）に回転駆動力を伝達するシャフト（２５）と、
回転駆動力を発生する電動機部（２０）とを備え、
電動機部（２０）は、回転磁界を発生させるステータ（２１）と、回転磁界によって回転するロータ（２２）とを有しており、
ステータ（２１）は、電流が流れるステータコイル（２１２）と、磁性材料で形成されたステータコア（２１１）とを有しており、
ステータコア（２１１）は、円筒形状のヨーク（２１１ａ）と、ヨーク（２１１ａ）の内方側に突出し、ステータコイル（２１２）が直接巻き付けられるティース（２１１ｂ）とを複数個ずつ有しており、
ステータコイル（２１２）は、ティース（２１１ｂ）に、ヨーク（２１１ａ）の径方向に順次巻き進められ、さらに同一方向に繰り返し巻き進められていることによって多重に重なり合っており、
ステータコイル（２１２）同士が結線された中性点（２１４）と、
ステータコイル（２１２）同士の間に配置され、Ｖ字形状または筒形状を有する相間絶縁紙（２１５）とを備え、
中性点（２１４）は、相間絶縁紙（２１５）の間に配置されていることを特徴とする。
【手続補正４】
【補正対象書類名】明細書
【補正対象項目名】００１３
【補正方法】変更
【補正の内容】
【００１３】
上記目的を達成するため、請求項３に記載の発明では、
流体を吸入して圧縮する圧縮機構部（１０）と、
圧縮機構部（１０）に回転駆動力を伝達するシャフト（２５）と、
回転駆動力を発生する電動機部（２０）とを備え、
電動機部（２０）は、回転磁界を発生させるステータ（２１）と、回転磁界によって回転するロータ（２２）とを有しており、
ステータ（２１）は、電流が流れるステータコイル（２１２）と、磁性材料で形成されたステータコア（２１１）とを有しており、
ステータコア（２１１）は、円筒形状のヨーク（２１１ａ）と、ヨーク（２１１ａ）の内方側に突出し、ステータコイル（２１２）が直接巻き付けられるティース（２１１ｂ）とを複数個ずつ有しており、
ステータコイル２１２は、ティース２１１ｂのうちヨーク２１１ａの径方向における同一箇所に連続して複数回巻き付けられていることによって多重に重なり合っており、さらにヨーク（２１１ａ）の径方向に順次巻き進められており、
ステータコイル（２１２）同士が結線された中性点（２１４）と、
ステータコイル（２１２）同士の間に配置され、Ｖ字形状または筒形状を有する相間絶縁紙（２１５）とを備え、
中性点（２１４）は、相間絶縁紙（２１５）の間に配置されていることを特徴とする。